(57)【要約】【課題】光ディスクやハードディスク内に記録した画像のライブラリ情報をハードディスク内で一括管理し表示することで、記録画像を容易に識別管理するライブラリ機能を有する画像記録再生装置を提供する。【解決手段】着脱可能な光ディスク１１と内蔵のハードディスク１３に対して画像情報の記録・再生を行う画像記録再生装置であり、光ディスク１１やハードディスク１３に画像を記録する際に、記録画像のライブラリ情報を作成してハードディスクに格納しておく。必要に応じてこのライブラリ情報を編集し表示することで、複数枚の光ディスクやハードディスク内に保有している多くの画像を容易に一括して識別管理することが可能となる。【選択図】図１
2005004959.tif 000002
【特許請求の範囲】
【請求項１】
装置に対して着脱可能な第１記録媒体及び内蔵された第２記録媒体に対して画像情報の記録及び再生を行う画像記録再生装置であって、
与えられた画像情報を、前記着脱可能な第１記録媒体の記憶領域に記録する記録手段と、
前記記録手段が前記画像情報を前記第１記録媒体の記憶領域に記録した際に、記録した画像情報に関するライブラリ情報を作成し、前記内蔵されている第２記録媒体にこれを格納する格納手段と、を具備することを特徴とする画像記録再生装置。
【請求項２】
前記格納手段は、前記記録手段が前記画像情報を前記第１記録媒体の記憶領域に記録した際に、前記画像情報に関する前記管理情報とは異なるライブラリ情報を作成し、前記内蔵されている第２記録媒体にこれを格納することを特徴とする請求項１記載の画像記録再生装置。
【請求項３】
前記第２記録媒体はハードディスクドライブであることを特徴とする請求項１記載の画像記録再生装置。
【請求項４】
前記記録手段は、与えられた画像情報を、着脱可能な第１記録媒体と内蔵されている第２記録媒体との少なくとも一方の記憶領域に記録し、前記格納手段は、前記記録手段が前記第１記録媒体及び前記第２記録媒体の少なくとも一方の記憶領域に前記画像情報を記録した際に、記録した画像情報に関するライブラリ情報を作成し、前記第２記録媒体にこれを格納することを特徴とする請求項１記載の画像記録再生装置。
【請求項５】
前記格納手段は、前記記録手段が前記画像情報を前記第１記録媒体の記憶領域に記録した際に、前記第１記録媒体の識別情報に関連させて、記録した画像情報に関するライブラリ情報を作成し、前記内蔵されている第２記録媒体にこれを格納することを特徴とする請求項１記載の画像記録再生装置。
【請求項６】
前記格納手段は、前記記録手段が前記画像情報を前記第１記録媒体の記憶領域に記録した際に、記録した画像情報のタイトルを識別するための情報を含むライブラリ情報を作成し、前記内蔵されている第２記録媒体にこれを格納することを特徴とする請求項１記載の画像記録再生装置。
【請求項７】
前記格納手段は、前記記録手段が前記画像情報を前記第１記録媒体の記憶領域に記録した際に、記録した画像情報に関するライブラリ情報であって、前記第１記録媒体の識別情報と、前記画像情報の、録画開始年月日時分と、録画終了時分と、チャンネル種別・チャンネル番号と、画質モードと、音質モードと、ビットレートと、ジャンル情報と、タイトル名との中のどれか一つを少なくとも有するライブラリ情報を作成し、前記内蔵されている第２記録媒体にこのライブラリ情報を格納することを特徴とする請求項１記載の画像記録再生装置。
【請求項８】
請求項１記載の画像記録再生装置において、
前記格納手段により格納される前記ライブラリ情報を所定の表示モードで画面上に表示するべく画像信号として出力する出力手段と、  をさらに具備することを特徴とする画像記録再生装置。
【請求項９】
請求項１記載の画像記録再生装置において、
前記格納手段により格納される前記ライブラリ情報から、与えられた検索条件に一致する情報を検索し、検索結果に応じた情報を画面上に表示するべく画像信号として出力する検索表示手段と、
をさらに具備することを特徴とする画像記録再生装置。
【請求項１０】
請求項８記載の画像記録再生装置において、
前記出力手段に基づき画面表示されたライブラリ情報の中から選択的に一つの画像情報を指定する指定情報が入力されると、この指定情報に対応する前記第１記録媒体の記憶領域に格納される前記画像情報を検出し再生する再生手段と、
を具備することを特徴とする画像記録再生装置。
【請求項１１】
請求項１記載の画像記録再生装置において、
前記第１記録媒体の記憶領域に格納されているタイトル情報を指定することにより、このタイトル情報を前記ライブラリ情報に追加し前記第２記録媒体にこれを格納する追加手段とをさらに具備することを特徴とする画像記録再生装置。
【請求項１２】
請求項１記載の画像記録再生装置において、
前記第２記録媒体に格納されている前記ライブラリ情報を画面上に表示し、ユーザの操作に応じてその内容を編集し削除する編集手段と、
をさらに具備することを特徴とする画像記録再生装置。
【請求項１３】
請求項１記載の画像記録再生装置において、
前記第１記録媒体内に格納された画像情報に関するタイトル情報を削除する削除手段と、
前記削除手段が削除処理を行ったとき、前記第１記録媒体から削除されるタイトル情報と前記第２記録媒体に格納されているライブラリ情報とを比較し、前記削除されるタイトル情報が前記ライブラリ情報内に存在するとき、これを削除するライブラリ削除手段とをさらに具備することを特徴とする画像記録再生装置。
【請求項１４】
請求項１記載の画像記録再生装置において、
前記第１記録媒体内に格納された画像情報に関するタイトル情報を変更する変更手段と、
前記変更手段が変更処理を行ったとき、前記第１記録媒体に格納されているタイトル情報と前記第２記録媒体に格納されているライブラリ情報とを比較し、前記タイトル情報の変更を前記ライブラリ情報に反映させるべく、必要な変更を行うライブラリ変更手段とをさらに具備することを特徴とする画像記録再生装置。
【請求項１５】
請求項１記載の画像記録再生装置において、
前記格納手段に格納されたライブラリ情報を作成する際又は作成後に、そのライブラリ情報に関してパスワードを設定する設定手段と、
前記設定手段により設定された前記パスワードが入力されたことを確認した上で、前記格納手段により格納される前記ライブラリ情報を所定の表示モードで画面上に表示するべく画像信号として出力する出力手段と、
をさらに具備することを特徴とする画像記録再生装置。
【請求項１６】
装置に対して着脱可能な第１記録媒体及び内蔵された第２記録媒体に対して画像情報の記録及び再生を行う画像記録再生装置であって、
与えられた画像情報を、前記着脱可能な第１記録媒体の記憶領域に記録する記録手段と、
前記記録手段が前記画像情報を第１記録媒体の記憶領域に記録した際に、記録した画像情報に関する情報を自動的に収集しこれをライブラリ情報として作成する自動作成手段と、
前記記録手段が前記画像情報を第１記録媒体の記憶領域に記録した際に、前記自動作成手段が作成した前記ライブラリ情報を前記内蔵されている第２記録媒体に格納する格納手段とを具備することを特徴とする画像記録再生装置。
【発明の詳細な説明】
【技術分野】
【０００１】
この発明は、光ディスクのように装置に対して着脱可能な記録媒体と、ハードディスクのように装置に内蔵された記録媒体とを、同時に取り扱うことが可能な画像記録再生装置に関するもので、特にそのライブラリ機能に関する。
【背景技術】
【０００２】
周知のように、近時では、例えばＤＶＤ（Digital Versatile Disc）−ＲＡＭ（Random Access Memory）やＤＶＤ−ＲＷ（Re Writable）等の光ディスクのように、装置に対して着脱自在な記録媒体と、ハードディスクのように装置に内蔵され、記録再生速度が高速で大容量の記録媒体とを、同時に取り扱うことを可能とした画像記録再生装置が開発されている。
【０００３】
そして、この種の画像記録再生装置は、光ディスクの持つ利点とハードディスクの持つ利点とを有機的に融合させることにより、従来の画像記録再生装置では到底実現することができなかった種々の新しい機能をユーザに提供することができる可能性を内在していることから、現在では、より一層便利でしかも不都合の生じないように、細部に渡って改良を施すことが強く要求されている。
【０００４】
例えば、このような画像記録再生装置において、光ディスクの大容量化に伴い、多数の番組を記録できるようになり、特にハードディスクドライブと着脱可能の光ディスクとの両方を備えた画像記録再生装置では、記録媒体とに記録される画像が徐々に増えてくると、どのディスクに何を録画したかがわからなくなる。各ディスクには管理情報が書かれているが、光ディスクをローディングしてみないと内容がわからない。従って、ユーザの記憶だけでは、どのような画像が記録されていたかは管理できなくなってくる。また、本体側の半導体メモリにライブラリ情報を保存した場合、十分な情報量（件数、項目数）のライブラリを保存することができないため、画像情報の管理はユーザにとっては使いづらいものとなるという問題がある。
【発明の開示】
【発明が解決しようとする課題】
【０００５】
そこでこの発明は上記事情を考慮してなされたもので、装置に対して着脱自在な記録媒体と装置に内蔵された大容量記録媒体とを同時に取り扱うことを可能とする装置において、複数の着脱可能のディスクや内蔵のハードディスク内に画像を記録する度にライブラリ情報を作成し、これらのライブラリ情報をハードディスク内で編集可能に一括管理し表示することで、ユーザが着脱可能なディスク又はハードディスク内に保有している画像を容易に識別管理することを可能にするライブラリ機能を有する画像記録再生装置を提供することを目的とする。
【課題を解決するための手段】
【０００６】
本発明の一実施形態は、装置に対して着脱可能な第１記録媒体及び内蔵された第２記録媒体に対して画像情報の記録及び再生を行う画像記録再生装置であって、与えられた画像情報を、前記着脱可能な第１記録媒体の記憶領域に記録する記録手段と、前記記録手段が前記画像情報を前記第１記録媒体の記憶領域に記録した際に、記録した画像情報に関するライブラリ情報を作成し、前記内蔵されている第２記録媒体にこれを格納する格納手段と、を具備することを特徴とする画像記録再生装置である。
【発明の効果】
【０００７】
上記した課題を解決するべく、請求項１に記載された本発明の一実施形態は、装置に対して着脱可能な第１記録媒体及び内蔵された第２記録媒体に対して画像情報の記録及び再生を行う画像記録再生装置であって、与えられた画像情報を、前記着脱可能な第１記録媒体の記憶領域に記録する記録手段と、前記記録手段が前記画像情報を前記第１記録媒体の記憶領域に記録した際に、記録した画像情報に関するライブラリ情報を作成し、前記内蔵されている第２記録媒体にこれを格納する格納手段とを具備することを特徴とする画像記録再生装置である。
【０００８】
上記した構成をもつ本発明は、複数の光ディスクの画像情報に関するライブラリ情報を一括するライブラリをハードディスク内に設けることにより、従来、ユーザの記憶に頼っていた画像情報の識別・管理を非常に容易に行うことが可能となるライブラリ機能を有する画像記録再生装置を提供するものである。
【発明を実施するための最良の形態】
【０００９】
以下、この発明の一実施の形態について図面を参照して詳細に説明する。図１は本発明に係る画像記録再生装置の一実施の形態の概略的な構成を示している。
【００１０】
［画像記録再生装置の構成］
すなわち、この画像記録再生装置は、ＤＶＤ−ＲＡＭやＤＶＤ−ＲＷ等のような光ディスク１１を回転駆動し、この光ディスク１１に対して情報の書き込み及び読み取りを実行することのできるディスクドライブ１２と、図示しないハードディスクを回転駆動し、このハードディスクに対して本発明に係るライブラリ情報を含む情報の書き込み及び読み取りを実行することのできるＨＤＤ（Hard Disc Drive）部１３と、記録側を構成するエンコーダ部１４と、再生側を構成するデコーダ部１５と、本発明に係るライブラリ情報管理部１６−１を含む装置本体の動作を統括的に制御するマイクロコンピュータブロック１６とを、主たる構成要素としている。
【００１１】
そして、エンコーダ部１４は、ＡＤＣ（Analog to Digital Converter）１４ａと、Ｖ（Video）エンコーダ，Ａ（Audio）エンコーダ及びＳＰ（Sub‐Picture）エンコーダを含むエンコーダ群１４ｂと、このエンコーダ群１４ｂの各エンコーダの出力を所定のフォーマットに変換するフォーマッタ１４ｃと、このフォーマッタ１４ｃの作業用に使用されるバッファメモリ１４ｄとを備えている。
【００１２】
このうち、ＡＤＣ１４ａには、Ａ／Ｖ（Audio／Video）入力部１７からの外部アナログ画像信号＋外部アナログ音声信号、あるいは、ＴＶ（Television）チューナ１８からのアナログ画像信号＋アナログ音声信号が入力されている。
【００１３】
ＡＤＣ１４ａは、入力されたアナログ画像信号を、例えばサンプリング周波数１３．５ＭＨｚ、量子化ビット数８ビットでデジタル化する。すなわち、輝度成分Ｙ、色差成分Ｃｒ（またはＹ−Ｒ）及び色差成分Ｃｂ（またはＹ−Ｂ）が、それぞれ８ビットで量子化されることになる。
【００１４】
同様に、ＡＤＣ１４ａは、入力されたアナログ音声信号を、例えばサンプリング周波数４８ｋＨｚ、量子化ビット数１６ビットでデジタル化する。
【００１５】
また、ＡＤＣ１４ａにデジタル画像信号やデジタル音声信号が入力されているときは、ＡＤＣ１４ａは、そのデジタル画像信号やデジタル音声信号をスルーパスさせる。
【００１６】
なお、これらのデジタル画像信号やデジタル音声信号に対して、内容を改変することなく、ジッタ低減処理やサンプリングレートの変更処理等を行なうことは許可されている。
【００１７】
ＡＤＣ１４ａから出力されたデジタル画像信号は、エンコーダ群１４ｂのＶエンコーダを介してフォーマッタ１４ｃに送られる。また、ＡＤＣ１４ｃから出力されたデジタル音声信号は、エンコーダ群１４ｂのＡエンコーダを介してフォーマッタ１４ｃに送られる。
【００１８】
Ｖエンコーダは、入力されたデジタル画像信号を、ＭＰＥＧ（Moving Picture Image Coding Experts Group）２またはＭＰＥＧ１規格に基づいて、可変ビットレートで圧縮されたデジタル画像信号に変換する機能を持っている。
【００１９】
また、Ａエンコーダは、入力されたデジタル音声信号を、ＭＰＥＧまたはＡＣ（Audio Compression）−３規格に基づいて、固定ビットレートで圧縮されたデジタル音声信号またはリニアＰＣＭ（Pulse Code Modulation）のデジタル音声信号に変換する機能を持っている。
【００２０】
なお、Ａ／Ｖ入力部１７から副映像（ＳＰ）信号が入力された場合（例えば副映像信号の独立出力端子付きＤＶＤビデオプレーヤからの信号）、あるいは、このようなデータ構成のＤＶＤビデオ信号が放送され、それがＴＶチューナ１８で受信された場合には、ＤＶＤビデオ信号中の副映像信号が、エンコーダ群１４ｂのＳＰエンコーダに入力される。このＳＰエンコーダに入力された副映像信号は、所定の信号形態にアレンジされて、フォーマッタ１４ｃに送られる。
【００２１】
フォーマッタ１４ｃは、バッファメモリ１４ｄをワークエリアとして使用しながら、入力されたデジタル画像信号、デジタル音声信号及び副映像信号等に対して、それぞれ、記録に適したフォーマットとなるように所定の信号処理を施し、データプロセッサ１９に出力している。
【００２２】
そして、このようにエンコーダ部１４でエンコードされた情報や、作成された管理情報は、データプロセッサ１９及びディスクドライブ１２を介して、光ディスク１１に記録することができる。
【００２３】
ここで、この画像記録再生装置は、上記のようにしてエンコーダ部１４でエンコードされた情報や、作成された管理情報、及び本発明に係るライブラリ情報を、データプロセッサ１９を介してＨＤＤ部１３に供給し、そのハードディスクに記録することもできる。また、ハードディスクに記録された情報をＨＤＤ部１３で読み出し、データプロセッサ１９及びディスクドライブ１２を介して、光ディスク１１に記録することもできる。
【００２４】
この場合、ハードディスクに記録されている情報のフォーマットが、光ディスク１１のデータフォーマットと同じである場合には、ハードディスクから読み取った情報をそのまま光ディスク１１に記録する。
【００２５】
また、ハードディスクに記録されている情報のフォーマットが、光ディスク１１のデータフォーマットと異なる場合には、ハードディスクから読み取った情報をエンコーダ部１４に供給して、光ディスク１１のデータフォーマットに適応するようにエンコード処理した後、光ディスク１１に記録する。
【００２６】
又本発明に係るライブラリ情報が、ハードディスクと光ディスクとの間で転送されることも可能であり、ライブラリ情報のバックアップ等がこれにより可能となる。
【００２７】
次に、この画像記録再生装置は、光ディスク１１に対して、情報の書き込み及び読み取り（記録及び再生）を実行する部分として、光学系や駆動系を有するディスクドライブ１２と、データプロセッサ１９と、一時記憶部２０と、ＳＴＣ（Sysyem Time CounterまたはSyetem Time Clock）２１とを備えている。
【００２８】
このうち、一時記憶部２０は、エンコーダ部１４から出力され、データプロセッサ１９及びディスクドライブ１２を介して光ディスク１１に書き込まれるデータのうちの一定量をバッファリングしたり、ディスクドライブ１２によって光ディスク１１から読み取られ、データプロセッサ１９を介してデコーダ部１５に入力されるデータのうちの一定量をバッファリングするために利用される。
【００２９】
また、データプロセッサ１９は、マイクロコンピュータブロック１６の制御に基づいて、エンコーダ部１４から出力された記録用のデータをディスクドライブ１２に供給したり、ディスクドライブ１２が光ディスク１１から読み取ったデータを取り込んだり、光ディスク１１に記録された管理情報を書き替えたり、光ディスク１１に記録されたデータの削除を行なったりしている。
【００３０】
ここで、マイクロコンピュータブロック１６は、ＭＰＵ（Micro Processing Unit）［またはＣＰＵ（Central Processing Unit）］と、制御プログラムが書き込まれたＲＯＭと、プログラム実行に必要なワークエリアを提供するためのＲＡＭ（Random Access Memory）とを含んでいる。
【００３１】
そして、マイクロコンピュータブロック１６のＭＰＵは、操作パネル又はリモコン等のキー入力部２２からの操作情報を受け、そのＲＯＭに格納された制御プログラムに基づいて、ＲＡＭをワークエリアとして用いることにより、装置全体の動作を統括的に制御している。
【００３２】
なお、このマイクロコンピュータブロック１６が実行する動作のうち、この発明の特徴部分に関係する制御としては、録画予約設定やジャスト録画設定等がある。そして、ジャスト録画設定では、記録データの圧縮符号化レートの設定や、光ディスク１１やハードディスクの残り記録容量の検出等を含んでいる。
【００３３】
また、このマイクロコンピュータブロック１６の実行結果のうち、ユーザに通知すべき内容は、表示部２３に表示されるか、または、図示しないモニタディスプレイにＯＳＤ（On Screen Display）表示される。
【００３４】
更に、ライブラリ情報管理部１６−１を有することにより、以下に詳細に説明する本発明の特徴であるライブラリ情報の管理機能を、記憶領域のＲＡＭやＲＯＭに格納された制御情報とともに実現する。
【００３５】
なお、マイクロコンピュータブロック１６が、ディスクドライブ１２、データプロセッサ１９、エンコーダ部１４及びデコーダ部１５等を制御するタイミングは、前記ＳＴＣ２１からの時間データに基づいて決定される。
【００３６】
ここで、デコーダ部１５は、ディスクドライブ１２によって光ディスク１１から読み取られ、データプロセッサ１９を介して入力されたデータから、主映像データ、副映像データ及び音声データを分離する分離部１５ａと、この分離部１５ａにおける分離処理やその他の信号処理実行時に使用されるメモリ１５ｂと、分離部１５ａで分離された主映像データをデコードするＶデコーダ，分離部１５ａで分離された副映像データをデコードするＳＰデコーダ及び分離部１５ａで分離された音声データをデコードするＡデコーダよりなるデコーダ群１５ｃと、ｖデコーダから得られる主映像データにＳＰデコーダから得られる副映像データを適宜合成し、主映像に副映像を重ねて表示させるためのビデオプロセッサ１５ｄとを備えている。
【００３７】
ビデオプロセッサ１５ｄの出力は、ビデオミクサ２４に入力される。このビデオミクサ２４では、テキストデータの合成が行なわれる。また、ビデオミクサ２４には、上記Ａ／Ｖ入力部１７やＴＶチューナ１８からの信号を直接取り込むラインも接続されている。ビデオミクサ２４には、バッファとして用いるフレームメモリ２５が接続されている。
【００３８】
そして、ビデオミクサ２４の出力がデジタル出力の場合には、Ｉ／Ｆ（Inter／Face）２６を介して外部に出力され、アナログ出力の場合には、ＤＡＣ（Digital to Analog Converter）２７を介して外部に出力される。
【００３９】
また、上記Ａデコーダの出力がデジタル出力の場合には、Ｉ／Ｆ２８を介して外部に出力され、アナログ出力の場合には、セレクタ２９を介してＤＡＣ３０でアナログ変換されて、外部に出力される。
【００４０】
このセレクタ２９は、マイクロコンピュータブロック１６からのセレクト信号により、Ａ／Ｖ入力部１７やＴＶチューナ１８からの出力信号を直接モニタするとき、ＡＤＣ１４ａからの出力を選択することが可能である。
【００４１】
［ライブラリ機能の特徴］
本発明に係る画像記録再生装置の構造は上述したとおりであるが、次にこのような構造の画像記録再生装置において、本発明が提案する記録された画像情報に関するライブラリ機能を以下に図面とフローチャートを用いて詳細に説明する。
【００４２】
本発明に係るライブラリ機能は、すなわち、複数のＤＶＤ−ＲＡＭディスク、ＨＤＤに書かれている管理情報とは別に、ライブラリ情報を本体内に保存することにより、記録媒体を問わずタイトル情報を一元管理することができる。このように、ライブラリ情報をＨＤＤに保存することにより、件数的にも内容的にも大量のライブラリ情報を保存することができ、ユーザにとっての利便性を増大させることができる。
【００４３】
本発明に係るライブラリ機能は、それぞれ、以下のような特徴を有するものでありその概要を以下に示す。すなわち、記録媒体に記録されたコンテンツのライブラリ情報を本体側に保持することを特徴とする。又、管理情報を有する記録媒体に記録されたコンテンツのライブラリ情報を、管理情報とは別に本体内に保持することを特徴とする。又、光ディスクとＨＤＤの両方を有する画像記録再生装置であって、光ディスクのコンテンツのライブラリ情報をＨＤＤに保持することを特徴とする。又、光ディスクとＨＤＤの両方を有する画像記録再生装置であって、光ディスクとＨＤＤの両方のコンテンツのライブラリ情報をＨＤＤに保持することを特徴とする。又、ディスクを識別するための情報をライブラリ情報に持つことを特徴とする。又、タイトル（プログラム）を識別するための情報をライブラリ情報に持つことを特徴とする画像記録再生装置である。
【００４４】
又、保持するライブラリ情報は下記の情報の少なくとも一部を含むことを特徴としている。すなわち、ディスク識別情報（ユニークなディスク番号など；ＤＶＤ−ＲＡＭ／ＨＤＤの識別を含む）と、タイトル識別情報（ディスク内でユニークなタイトル番号など；これはなくてもよい）と、タイトル情報と、録画開始年月日時分と、録画終了時分と、チャンネル種別・チャンネル番号と、画質モード（ＬＰ／ＳＰ／ジャスト録画／マニュアル設定）と、音質モード（ＬＰＣＭ／ＡＣ−３）と、ビットレートと、ジャンル情報と、タイトル名とである。
【００４５】
［ライブラリ機能の動作］
このような本発明に係るライブラリ機能について、基本的な１１の機能について、以下にフローチャートを用いて詳細に説明する。
【００４６】
（１）ライブラリ一覧表示
最初に本発明に係る画像記録再生装置のライブラリ機能として、最も基本的な全タイトル一覧の表示機能を説明する。図２は、本発明に係るライブラリ機能の（ａ）が全タイトル一覧の画面を、（ｂ）がディスク別表示の画面を、図３の（ａ）がジャンル別表示の画面を、（ｂ）が曜日別表の画面を示す図である。図８は、本発明に係るライブラリ機能の一覧表示を行う際の動作を説明するフローチャートである。
【００４７】
本発明に係るライブラリＧＵＩとは、過去に録画したＤＶＤ−ＲＡＭ／ＨＤＤのタイトル一覧（オリジナル）を保持し、ライブラリとして、ユーザへのメディアガイダンスを行うものである。このガイダンス機能として、全タイトル一覧のライブラリ表示が行われる。図２の（ａ）において、全タイトルの一覧が示され、ディスク番号、録画された年月日、曜日、時、分、チャンネル番号、ジャンルアイコン、タイトル名（表示できる範囲で）が示されている。このような全タイトルの一覧は、１画面で表示可能な情報ごとに処理されるものであり、図８のフローチャートにおいて、マイクロコンピュータブロック１６のライブラリ情報管理部１６−１の制御下において、ライブラリ一覧表示が要求されると（Ｓ３１）、一画面で表示件数分だけのライブラリ情報がＨＤＤ１３から読み出され（Ｓ３２）、読み出された情報の表示がディスプレイ上になされるべく表示信号が出力される（Ｓ３３）。更にユーザから次画面の表示の要求があれば（Ｓ３４）、上記した処理を続行するものである。
【００４８】
このように、本発明に係るライブラリ一覧表示により、ライブラリの内容をすべて表示することができる。又、ライブラリの内容をソートして表示することができ、録画日時の新しいものから順に表示することができる。これにより、多くのディスクやＨＤＤ中の画像を一括して識別・管理することができる。
【００４９】
（２）ライブラリの検索表示
次に、このライブラリ情報に関して例えば曜日等の検索情報を与えて検索することで一定の曜日だけに記録した情報の一覧を表示するなどの、ライブラリの検索表示機能を説明する。図２の（ｂ）が本発明に係るライブラリ機能のライブラリのディスク別表示の画面を、図３の（ａ）がジャンル別表示の画面を、（ｂ）が曜日別表の画面を示す図、図４は本発明に係るライブラリ機能のクイックメニューのジャンル別表示の画面を示す図、図５は曜日別表示の画面を示す図、図６はディスク別表示、ジャンル別表示、曜日別表示をしているときのクイックメニューの画面を示す図、図９はライブラリ機能の検索表示の動作を説明するフローチャートである。
【００５０】
このライブラリ検索表示では、特定のディスクを指定することで、図２の（ｂ）に示すように例えば００３Ａというディスクに記録された画像だけを表示させるものである。
【００５１】
又、ジャンルを特定してもよく、図３の（ａ）に示すように、例えばアニメ特撮というジャンルの画像だけのリストを表示することができる。ここで、ジャンルとは、例えば、１．洋画、２．邦画、３．音楽、４．ドラマ、５．アニメ／特撮、６．スポーツ、７．ドキュメンタリー教養、８．劇場公演、９．バラエティ、１０．趣味教育、１１．ニュース報道、１２．その他、１３．ジャンルなし、等が考えられる。しかし、サブジャンルの入れ替えができるようにすることも好適であり、ユーザ頻度の多いものにカスタマイズ可能な仕様とすることも好適である。
【００５２】
又、更に特定の曜日を指定して曜日別表示としてもよく、図３の（ｂ）のように金曜日の画像だけをリストとして表示することも可能である。
【００５３】
このような検索表示を行うために、ユーザは検索情報を入力するわけであるが、その入力方法として、図４、図５、図６のような画像表示を行うことで、ユーザは対話形式の中で検索情報を選択し指定することが好適である。すなわち、ジャンル別の指示情報を入力する場合は、図４において、このようなクイック画面から、（ａ）のようにジャンル別表示を選択し、（ｂ）のように表れるジャンル、１．映画から１０．ジャンルなしまでの必要な情報を選択するものである。同様に、図５の（ａ）では、曜日別表示を選択した上で、（ｂ）では希望する曜日を選択すればよい。
【００５４】
又、ディスク別表示、ジャンル別表示、曜日別表示を行っている際にクイック操作画面を呼び出すと、図６に示すような全リスト表示を含んでいる画面が表れ、最初のライブラリ一覧へといつでも戻ることが可能となる。
【００５５】
このようなライブラリの検索表示は、例えば以下のような動作によって実現されるものである。すなわち、図９において、ライブラリの検索表示が求められると（Ｓ４１）、マイクロコンピュータブロック１６のライブラリ情報管理部１６−１の制御下により、例えば、図４，図５で述べたようなクイック画面により検索条件の設定が行われる（Ｓ４２）。次に、この設定された検索条件画面に基づいて、ライブラリ情報が１件読み出される（Ｓ４３）。条件が一致したことが確認できれば（Ｓ４４）これを表示する（Ｓ４５）。このような手順で、与えられた検索情報に応じてライブラリの全ての情報を読み出し、一致していれば表示を実行するという作業と行うことで、検索表示が行われる（Ｓ４６）。
【００５６】
このように、検索情報を入力し、これに一致した情報だけを検索表示することで、ディスク別表示、曜日別表示、ジャンル別表示等が可能となり、ユーザは目的の画像を迅速に容易に見つけだすことが可能となる。
【００５７】
（３）ライブラリから再生
次に、このようにライブラリ情報として画面上に表示された際に、ユーザがその中の画像の再生を希望した場合にこれを再生する際の動作を図面を用いて説明する。図７は、本発明に係るライブラリ機能の基本動作を説明するための図、図１０はライブラリ機能のライブラリからの再生の動作を説明するフローチャートである。
【００５８】
ライブラリから再生する場合は、図７に示すように、起動元状態から（Ｓ１１）マイクロコンピュータブロック１６のライブラリ情報管理部１６−１の制御下により、ライブラリを表示させ（Ｓ１２）、スティックでページを切り換えながら（Ｓ１３）、適切な画面を表示させる（Ｓ１４）。そして、タイトル一覧（全リスト、ディスク別、ジャンル別、曜日別）から適切な画面を表示させ、再生したいタイトルを上下キーで選択する（Ｓ１５）。フォーカスがある行は、ハイライト表示される（Ｓ１６）。ページを切替える場合はスティックを使用する。
【００５９】
画像が選択されれば、目的のタイトル行で［Ｅｎｔｅｒ］を押下し（Ｓ１７）、。ディスク中に該当するタイトルが存在すれば（Ｓ１８）、ＧＵＩを終了して再生を開始する（Ｓ１９）。
【００６０】
しかしここで、ディスクが入っていない、または、入っているディスク中に該当タイトルが存在しない場合はアラート（０）『選択したタイトルを含むディスクが入っていません』が３秒間表示される（Ｓ２０）。その後、リモコンで［取出し］を押下してトレイをオープンする（Ｓ２１）。更に、オープンＧＵＩを表示し（Ｓ２２）、ディスクを入れて［取出し］を押下し（Ｓ２３）、クローズ／ローディングＧＵＩを表示し（Ｓ２４）、一定時間後非表示とした上で（Ｓ２５）、再び選択画面となる。ユーザは、再度この画面で選択することで、今度は、ディスクを読み取って再生処理がなされることになる（Ｓ１７〜Ｓ１９）。
【００６１】
すなわち、図１０のフローチャートで、これに対応する動作を説明すれば、ライブラリから再生する場合は（Ｓ５１）、図７の説明図でも説明したように、再生タイトルが設定されなければならない（Ｓ５２）。その後、ライブラリ情報からディスク識別情報を取得してきて（Ｓ５３）、該当ディスクが挿入されているか、又はＨＤＤ内に該当する画像情報が格納されているかどうかを判断する（Ｓ５４）。該当するディスクが挿入されていなければ（Ｓ５８）、挿入を促すメッセージを表示する。
【００６２】
ディスク等の準備が出来たら、ライブラリ情報から選択されたタイトル識別情報を取得してきて（Ｓ５５）、該当タイトルがディスクに存在することを確認し（Ｓ５６）、このタイトルの再生処理を始める（Ｓ５７）。もし、該当タイトルがなければ、タイトルが存在しないというメッセージを表示すればよい（Ｓ５９）。
【００６３】
このように表示したライブラリから、直接、コンテンツを指定して再生することで、希望の画像を容易に再生することができる。
【００６４】
（４）ライブラリに手動登録
次に、このライブラリ情報をユーザの操作により登録を行う場合の動作を説明する。図１１は、本発明に係るライブラリ機能のライブラリに手動で登録を行う際の動作を説明するフローチャートである。
【００６５】
他機で録画されたタイトルは、本機のライブラリには自動では登録されないので、ユーザがこのようなタイトル情報をマニュアルで登録する場合は（Ｓ６１）、マイクロコンピュータブロック１６のライブラリ情報管理部１６−１の制御下において、現在のディスクから登録すべきタイトルを設定する（Ｓ６２）。そして、ライブラリ情報の件数が上限でないことを確認して（Ｓ６３）、ライブラリにタイトル等の情報を追加登録を行う（Ｓ６４）。このとき、上限を過ぎている場合は、ライブラリが一杯です等のメッセージを表示するものである（Ｓ６５）。
【００６６】
このようにライブラリにユーザがマニュアルでライブラリ情報を追加登録することができるので、他機で録画されたタイトルも登録が可能となり、ディスクの全タイトルを一括して登録するなど、タイトル等の有益な情報を含ませることによりライブラリ情報を仕様に応じたものにすることができる。
【００６７】
又、ライブラリ情報は、ディスク番号や年月日、曜日、時・分、ＣＨなどは、ある程度自動登録が可能だが、ジャンルやタイトル等は、ユーザが入力することが好適となる。
【００６８】
（５）ライブラリから手動削除
次に、このライブラリからユーザの手動の操作により、一定の情報を削除する場合を説明する。図１２は、本発明に係るライブラリ機能のライブラリから手動で削除を行う際の動作を説明するフローチャートである。
【００６９】
ユーザがマニュアルにより操作することで、ライブラリ情報から実際のディスクと不整合になったものや不要になったものを削除することができる。すなわち、削除動作を行う際は（Ｓ７１）、マイクロコンピュータブロック１６のライブラリ情報管理部１６−１の制御下において、ライブラリから削除するタイトルを設定し（Ｓ７２）、削除の確認メッセージが表示される（Ｓ７３）。本当に削除してもよい場合は“ＯＫ”とし（Ｓ７４）、ライブラリから削除を実行する（Ｓ７５）。
【００７０】
このようなユーザのマニュアル操作による削除により、他機で削除された場合や、光ディスクを紛失した場合、不要になった場合、ライブラリが一杯になった場合（最も古いものを候補で表示）などの情報の削除を可能とするものである。
【００７１】
（６）ライブラリを保存
次に、ハードディスク内に格納されたライブラリ情報を光ディスク等の着脱可能な媒体へと保存する場合を説明する。図１３は、本発明に係るライブラリ機能のライブラリを保存する際の動作を説明するフローチャートである。
【００７２】
すなわち、本発明に係るライブラリ情報はこれを自由に外部の光ディスク等に移動することが可能であり、適宜、バックアップ等をとることができる。図１３のフローチャートにおいて、マイクロコンピュータブロック１６のライブラリ情報管理部１６−１の制御下により、ライブラリを保存する際は（Ｓ８１）、保存確認メッセージを表示し（Ｓ８２）、了解が得られれば（Ｓ８３）、ライブラリ情報を格納するべきＤＶＤ−ＲＡＭが挿入されていることを確認する（Ｓ８４）。ディスクが挿入されていなければ挿入を促すメッセージを表示し（Ｓ８６）、挿入されれば、ライブラリ情報をＨＤＤからＤＶＤ−ＲＡＭに複写を行う（Ｓ８５）。
【００７３】
このような処理により、ＨＤＤ上のライブラリをＤＶＤ−ＲＡＭに保存することができるため、例えばＨＤＤが故障した場合などにも後でライブラリ情報を復元することが可能となる。
【００７４】
（７）ライブラリを復元
次に、光ディスク等に格納されたライブラリ情報に基づいて、ハードディスク内のライブラリ情報を復元する場合を説明する。図１４は、本発明に係るライブラリ機能のライブラリを復元する際の動作を説明するフローチャートである。
【００７５】
すなわち、図１４に示されるフローチャートにおいて、マイクロコンピュータブロック１６のライブラリ情報管理部１６−１の制御下により、ライブラリを復元する際は（Ｓ９１）、復元用ライブラリ情報がＤＶＤ−ＲＡＭ上にあることを確認し（Ｓ９２）、存在していなければライブラリ情報が存在しないというメッセージを表示し（Ｓ９６）、存在していれば復元確認メッセージを表示する（Ｓ９３）。了解が得られれば（Ｓ９４）、ライブラリ情報をＤＶＤ−ＲＡＭからＨＤＤへと複写処理が実行される（Ｓ９４）。
【００７６】
これにより、ＤＶＤ−ＲＡＭ上のライブラリをＨＤＤ上に復元することができるので、ＨＤＤが故障した場合などにもライブラリ情報を復元することが可能になる。
【００７７】
（８）ライブラリに自動登録
次に、本発明に係るライブラリ情報が自動的に登録される場合を説明する。図１５は、本発明に係るライブラリ機能のライブラリへ自動登録を行う場合の動作を説明するフローチャートである。
【００７８】
本発明に係るライブラリ情報は、先に（４）でマニュアルで登録される情報を含んでいることを説明したが、録画処理が終わった後に基本となるライブラリ情報が自動的に作成されこれが登録・保存されるものである。
【００７９】
ライブラリ情報は、図１５のフローチャートが示すように、所定の光ディスクに対して録画処理が終了すれば（Ｓ１０１）、録画終了処理を経た後に（Ｓ１０２）、マイクロコンピュータブロック１６のライブラリ情報管理部１６−１の制御下により、ライブラリ情報件数が上限であるかどうかを確認した上で（Ｓ１０３）、もし、ライブラリ情報件数の上限に至っている場合は、ライブラリが一杯ですというメッセージを表示する（Ｓ１０５）。そして、上限に至っていなければ、例えば、図２の（ａ）に示すような、ディスク番号、録画された年月日、曜日、時、分、チャンネル番号などの、ユーザからの入力を必要としない情報を特に自動登録を行うものである（Ｓ１０４）。又、ここで、サムネイル情報から何らかの情報を取り出し、ライブラリ情報としてこれを登録することも好適である。
【００８０】
これにより、録画完了などで、オブジェクトが生成された時点で自動的にライブラリ情報が生成されこれがライブラリに追加されるので、ユーザがいちいち登録する必要がない。
【００８１】
（９）ライブラリから自動削除
次に、本発明に係るライブラリ情報が自動的に削除される場合を説明する。図１６は、本発明に係るライブラリ機能のライブラリから自動削除を行う際の動作を説明するフローチャートである。
【００８２】
ライブラリ情報は、ディスクからタイトルが削除されれば、これに合わせてライブラリから対応するタイトルが削除され、現況に合わせてライブラリを更新することが好ましい。
【００８３】
従って、図１６にしめるフローチャートにおいて、このライブラリのタイトル削除処理は（Ｓ１１１）、最初に光ディスク内のタイトルの削除処理が行われると（Ｓ１１２）、これに応じてマイクロコンピュータブロック１６のライブラリ情報管理部１６−１の制御下により、削除された該当タイトルがハードディスク中のライブラリ内に存在するかどうかを確認する（Ｓ１１３）。存在しなければ削除処理は行われないが、存在するときはこれがライブラリから自動的にこれが削除されるものである（Ｓ１１４）。
【００８４】
これにより、光ディスク中のオブジェクトが削除された時点で、自動的にライブラリ情報からも削除されるので、ユーザがいちいち削除する必要が無く、現況の画像に応じてライブラリが自動更新されることになる。
【００８５】
（１０）ライブラリを自動修正
次に、本発明に係るライブラリ情報が自動的に修正される場合を説明する。図１７は、本発明に係るライブラリ機能のライブラリを自動修正する際の動作を説明するフローチャートである。
【００８６】
ライブラリ情報は、ディスク内のタイトル名が修正されれば、これに合わせてライブラリ内の対応するタイトルが修正され、現況に合わせてライブラリを更新することが好ましい。
【００８７】
従って、図１７にしめるフローチャートにおいて、このライブラリのタイトル修正処理は（Ｓ１２１）、最初に光ディスク内のタイトルの修正処理が行われると（Ｓ１２２）、これに応じてマイクロコンピュータブロック１６のライブラリ情報管理部１６−１の制御下により、修正された該当タイトルがハードディスク中のライブラリ内に存在するかどうかを確認する（Ｓ１２３）。存在しなければ修正処理は行われないが、存在するときは該当するライブラリ中のタイトル情報が自動的に修正されるものである（Ｓ１２４）。
【００８８】
これにより、光ディスク中のオブジェクトが変更された時点で、自動的にライブラリ情報も変更されるので、ユーザがいちいち修正する必要が無く、現況の画像に応じてライブラリが自動更新されることになる。
【００８９】
（１１）パスワード機能
最後に、本発明に係るライブラリ情報にパスワードを設定する場合を説明する。上述したようなライブラリ情報は、この全体又は一部に対して、パスワードを設定することができるものである。例えばこの処理は、マイクロコンピュータブロック１６のライブラリ情報管理部１６−１の制御下により行われ、ライブラリ情報の全体に対して一つのパスワードが設定される。又は、複数のライブラリ情報の中の特定のライブラリに対し、一つのパスワードが設定される。
【００９０】
これにより、家族の中の特定の者が、他の家族に秘密に自分だけが閲覧が可能なライブラリ情報を構築することができる。
【００９１】
以上詳述したようにこの発明によれば、複数の光ディスクの画像情報に関するライブラリ情報を一括するライブラリをハードディスク内に設けることにより、従来、ユーザの記憶に頼っていた画像情報の識別・管理を非常に容易に行うことが可能となるライブラリ機能を有する画像記録再生装置を提供するものである。
【００９２】
又、ＤＶＤ−ＲＡＭ、ＨＤＤのタイトル情報をライブラリとして本体内に保存することで、複数のＤＶＤ−ＲＡＭやＨＤＤの画像について、区別なく一括してタイトルを探すことができる一元管理を可能にする。
【００９３】
又、このライブラリ情報をＨＤＤに保存することにより、大量のライブラリ情報をすぐに取り出せる形で保存することが可能になる。
【００９４】
又、このライブラリ情報にディスク識別のための情報をもたせることで、再生の際に正しいディスクが挿入されていないことを認識することができ、ユーザに挿入すべきディスク番号などを表示することが可能になる。
【００９５】
又、このライブラリ情報にタイトル識別情報をもたせることで、ライブラリ情報とディスク上のタイトル情報との一致検索が可能となり、該当タイトルがディスク上に存在するかどうかを認識することが可能になる。
【００９６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００９７】
【図１】本発明に係る画像記録再生装置の一実施の形態を説明するために示すブロック構成図。
【図２】本発明に係るライブラリ機能の（ａ）が全タイトル一覧の画面を（ｂ）がディスク別表示の画面を示す図。
【図３】本発明に係るライブラリ機能の（ａ）がジャンル別表示の画面を、（ｂ）が曜日別表の画面を示す図。
【図４】本発明に係るライブラリ機能のクイックメニューのジャンル別表示の画面を示す図。
【図５】本発明に係るライブラリ機能のクイックメニューの曜日別表示の画面を示す図。
【図６】本発明に係るライブラリ機能のディスク別表示、ジャンル別表示、曜日別表示をしているときのクイックメニューの画面を示す図。
【図７】本発明に係るライブラリ機能の基本動作を説明するための図。
【図８】本発明に係るライブラリ機能の一覧表示を行う際の動作を説明するフローチャート。
【図９】本発明に係るライブラリ機能の検索表示の動作を説明するフローチャート。
【図１０】本発明に係るライブラリ機能のライブラリからの再生の動作を説明するフローチャート。
【図１１】本発明に係るライブラリ機能のライブラリに手動で登録を行う際の動作を説明するフローチャート。
【図１２】本発明に係るライブラリ機能のライブラリから手動で削除を行う際の動作を説明するフローチャート。
【図１３】本発明に係るライブラリ機能のライブラリを保存する際の動作を説明するフローチャート。
【図１４】本発明に係るライブラリ機能のライブラリを復元する際の動作を説明するフローチャート。
【図１５】本発明に係るライブラリ機能のライブラリへ自動登録を行う場合の動作を説明するフローチャート。
【図１６】本発明に係るライブラリ機能のライブラリから自動削除を行う際の動作を説明するフローチャート。
【図１７】本発明に係るライブラリ機能のライブラリを自動修正する際の動作を説明するフローチャート。
【符号の説明】
【００９８】
１１…光ディスク、１２…ディスクドライブ、１３…ＨＤＤ部、１４…エンコーダ部、１５…デコーダ部、１６…マイクロコンピュータブロック、１６−１…ライブラリ情報管理部、１７…Ａ／Ｖ入力部、１８…ＴＶチューナ、１９…データプロセッサ、２０…一時記憶部、２１…ＳＴＣ、２２…操作パネル又はリモコン等のキー入力部、２３…表示部、２４…ビデオミクサ、２５…フレームメモリ、２６…インターフェース、２７…ＤＡＣ、２８…Ｉ／Ｆ、２９…セレクタ、３０…ＤＡＣ。
【図１】
2005004959.tif 000003
【図２】
2005004959.tif 000004
【図３】
2005004959.tif 000005
【図４】
2005004959.tif 000006
【図５】
2005004959.tif 000007
【図６】
2005004959.tif 000008
【図７】
2005004959.tif 000009
【図８】
2005004959.tif 000010
【図９】
2005004959.tif 000011
【図１０】
2005004959.tif 000012
【図１１】
2005004959.tif 000013
【図１２】
2005004959.tif 000014
【図１３】
2005004959.tif 000015
【図１４】
2005004959.tif 000016
【図１５】
2005004959.tif 000017
【図１６】
2005004959.tif 000018
【図１７】
2005004959.tif 000019